(57)【要約】【課題】災害が発生した場合において災害に関する情報を効率良く収集し、端末装置のユーザーによる情報取得を支援することが可能な情報配信装置、情報収集方法および情報収集プログラムを提供する。【解決手段】災害関連情報を配信する情報配信装置１０１は、災害関連情報を端末装置３０１へ送信する情報送信部１３と、情報送信部１３が送信すべき災害関連情報に対する、情報配信装置１０１が配信可能な情報の不足分に基づいて、情報配信装置１０１に提供すべき対象情報の内容を判断可能な情報を含み、かつ上記対象情報を提供することの対価を示すインセンティブ情報を端末装置３０１へ送信する情報収集部１７とを備える。【選択図】図２
2015022635.tif 000002
【特許請求の範囲】
【請求項１】
災害関連情報を配信する情報配信装置であって、
前記災害関連情報を、前記情報配信装置と通信を行う１以上の端末装置からなる端末装置群、の一部または全部へ送信する情報送信部と、
前記情報送信部が送信すべき前記災害関連情報に対する、前記情報配信装置が配信可能な情報の不足分に基づいて、前記情報配信装置に提供すべき対象情報の内容を判断可能な情報を含み、かつ前記対象情報を提供することの対価を示すインセンティブ情報を前記端末装置群の一部または全部へ送信する情報収集部とを備える、情報配信装置。
【請求項２】
前記情報収集部は、前記端末装置群の一部または全部から提供された情報を保持し、保持した前記情報に基づいて前記不足分を判断する、請求項１に記載の情報配信装置。
【請求項３】
前記情報収集部は、前記端末装置群の一部または全部からの前記災害関連情報の要求内容を示す情報を保持し、保持した前記情報に基づいて前記不足分を判断する、請求項１または請求項２に記載の情報配信装置。
【請求項４】
前記情報収集部は、前記情報配信装置が保持している情報に基づいて前記インセンティブ情報を更新し、更新した前記インセンティブ情報を前記端末装置群の一部または全部へ送信する、請求項１から請求項３のいずれか１項に記載の情報配信装置。
【請求項５】
前記情報配信装置は、さらに、
前記災害関連情報を受信した前記端末装置群の一部または全部から前記災害関連情報の評価内容を示す評価情報を受信して、前記評価情報に基づいて、前記端末装置群の一部または全部からの前記対象情報の提供を評価する評価部を備え、
前記情報収集部は、前記評価部による評価の高さに応じた前記対価を設定する、請求項１から請求項４のいずれか１項に記載の情報配信装置。
【請求項６】
前記情報収集部は、前記対価が設定されたことを示す情報を前記端末装置群の一部または全部へ送信する、請求項５に記載の情報配信装置。
【請求項７】
災害関連情報を配信する情報配信装置における情報収集方法であって、
前記情報配信装置と通信を行う１以上の端末装置からなる端末装置群、の一部または全部へ送信すべき前記災害関連情報に対する、前記情報配信装置が配信可能な情報の不足分に基づいて、前記情報配信装置に提供すべき対象情報の内容を判断可能な情報を含み、かつ前記対象情報を提供することの対価を示すインセンティブ情報を作成するステップと、
作成した前記インセンティブ情報を前記端末装置群の一部または全部へ配信するステップとを含む、情報収集方法。
【請求項８】
災害関連情報を配信する情報配信装置において用いられる情報収集プログラムであって、コンピュータに、
前記情報配信装置と通信を行う１以上の端末装置からなる端末装置群、の一部または全部へ送信すべき前記災害関連情報に対する、情報配信装置が配信可能な情報の不足分に基づいて、前記情報配信装置に提供すべき対象情報の内容を判断可能な情報を含み、かつ前記対象情報を提供することの対価を示すインセンティブ情報を作成するステップと、
作成した前記インセンティブ情報を前記端末装置群の一部または全部へ配信するステップとを実行させるための、情報収集プログラム。
【発明の詳細な説明】
【技術分野】
【０００１】
本発明は、情報配信装置、情報収集方法および情報収集プログラムに関し、特に、災害に関する情報を配信する情報配信装置、情報収集方法および情報収集プログラムに関する。
【背景技術】
【０００２】
地震または津波等の大規模な災害が発生すると、被災者の安否および被災地のインフラ状況等を確認するめに多くの者が情報を集めようとする。
【０００３】
災害発生時に被災者の安否情報を確認できるシステムとして、たとえば、特許文献１（特許第４６３８７５６号公報）には、以下のような技術が開示されている。すなわち、情報通信システムは、中央処理装置と、複数の基地局および上記複数の基地局のそれぞれの基地局に登録されている複数の端末装置からなり、上記中央処理装置は、地域毎の災害状況を登録する被災状況データベースと、上記複数の基地局または上記複数の端末装置が位置する地区を登録した端末位置情報データベースおよび上記複数の端末装置の所有者が安否情報を送信する相手を設定する安否情報開示許可データベースを具える。上記中央処理装置は、上記安否情報開示許可データベースの上記安否情報を送信する相手を上記端末装置の通信履歴に基いて選び、当該端末装置の加入者に登録の可否を確認し、上記安否情報開示許可データベースは、上記加入者に上記安否情報の開示許可を確認された上記相手を登録するように構成され、災害発生時に上記中央処理装置は、上記被災状況データベースと上記端末位置情報データベースに基いて送るべき安否情報の所有者の上記端末装置を選定し、上記選定された端末装置の該当地域の安否情報を上記安否情報開示許可データベースに基づいて上記安否情報の送信が許可されている相手に上記安否情報を送信する。
【先行技術文献】
【特許文献】
【０００４】
【特許文献１】特許第４６３８７５６号公報
【特許文献２】特開２００７−４３３１０号公報
【特許文献３】特開２００４−３２１８６号公報
【特許文献４】特開平１０−３０３９３２号公報
【発明の概要】
【発明が解決しようとする課題】
【０００５】
このような情報通信システムでは、ユーザーは、被災地におけるインフラの状況および火災の有無等、災害の影響を示す情報を取得できないため、被災地の状況を把握することができない。
【０００６】
また、ユーザーが被災地の状況を把握することができる通信システムとして、サーバーが、被災地に存在する端末装置から災害に関する情報を収集して端末装置へ配信する構成が考えられる。しかしながら、このような通信システムでは、被災地に存在する端末装置を所有するユーザーにとっては情報をサーバーへ提供するメリットが少ないため、サーバーは多くの情報を収集することができない場合がある。
【０００７】
この発明は、上述の課題を解決するためになされたもので、その目的は、災害が発生した場合において災害に関する情報を効率良く収集し、端末装置のユーザーによる情報取得を支援することが可能な情報配信装置、情報収集方法および情報収集プログラムを提供することである。
【課題を解決するための手段】
【０００８】
（１）上記課題を解決するために、この発明のある局面に係る情報配信装置は、災害関連情報を配信する情報配信装置であって、前記災害関連情報を、前記情報配信装置と通信を行う１以上の端末装置からなる端末装置群、の一部または全部へ送信する情報送信部と、前記情報送信部が送信すべき前記災害関連情報に対する、前記情報配信装置が配信可能な情報の不足分に基づいて、前記情報配信装置に提供すべき対象情報の内容を判断可能な情報を含み、かつ前記対象情報を提供することの対価を示すインセンティブ情報を前記端末装置群の一部または全部へ送信する情報収集部とを備える。
【０００９】
（７）上記課題を解決するために、この発明のある局面に係る情報収集方法は、災害関連情報を配信する情報配信装置における情報収集方法であって、前記情報配信装置と通信を行う１以上の端末装置からなる端末装置群、の一部または全部へ送信すべき前記災害関連情報に対する、前記情報配信装置が配信可能な情報の不足分に基づいて、前記情報配信装置に提供すべき対象情報の内容を判断可能な情報を含み、かつ前記対象情報を提供することの対価を示すインセンティブ情報を作成するステップと、作成した前記インセンティブ情報を前記端末装置群の一部または全部へ配信するステップとを含む。
【００１０】
（８）上記課題を解決するために、この発明のある局面に係る情報収集プログラムは、災害関連情報を配信する情報配信装置において用いられる情報収集プログラムであって、コンピュータに、前記情報配信装置と通信を行う１以上の端末装置からなる端末装置群、の一部または全部へ送信すべき前記災害関連情報に対する、前記情報配信装置が配信可能な情報の不足分に基づいて、前記情報配信装置に提供すべき対象情報の内容を判断可能な情報を含み、かつ前記対象情報を提供することの対価を示すインセンティブ情報を作成するステップと、作成した前記インセンティブ情報を前記端末装置群の一部または全部へ配信するステップとを実行させるためのプログラムである。
【発明の効果】
【００１１】
この発明によれば、災害が発生した場合において災害に関する情報を効率良く収集し、端末装置のユーザーによる情報取得を支援することができる。
【図面の簡単な説明】
【００１２】
【図１】図１は、本発明の第１の実施の形態に係る災害時情報共有システムの構成を示す図である。
【図２】図２は、本発明の第１の実施の形態に係る災害時情報共有システムによる災害関連情報の取得および配信を示す図である。
【図３】図３は、本発明の第１の実施の形態に係る災害時情報共有システムによるインセンティブ情報の配信を示す図である。
【図４】図４は、本発明の第１の実施の形態に係る情報配信装置の構成を示す図である。
【図５】図５は、本発明の第１の実施の形態に係る情報配信装置により管理される災害関連情報のテーブルの一例を示す図である。
【図６】図６は、本発明の第１の実施の形態に係る災害時情報共有システムにおけるインセンティブ情報の一例を示す図である。
【図７】図７は、本発明の第１の実施の形態に係る情報配信装置が情報を配信する際の動作手順の一例を定めたフローチャートである。
【図８】図８は、本発明の第２の実施の形態に係る災害時情報共有システムによる災害関連情報の取得および配信を示す図である。
【図９】図９は、本発明の第２の実施の形態に係る情報配信装置の構成を示す図である。
【図１０】図１０は、本発明の第２の実施の形態に係る情報配信装置が情報を配信する際の動作手順の一例を定めたフローチャートである。
【図１１】図１１は、本発明の第３の実施の形態に係る災害時情報共有システムによる災害関連情報の配信および評価情報の取得を示す図である。
【図１２】図１２は、本発明の第３の実施の形態に係る情報配信装置の構成を示す図である。
【図１３】図１３は、本発明の第３の実施の形態に係る情報配信装置により管理される災害関連情報のテーブルの一例を示す図である。
【図１４】図１４は、本発明の第３の実施の形態に係る災害時情報共有システムにおけるインセンティブ情報の一例を示す図である。
【図１５】図１５は、本発明の第３の実施の形態に係る情報配信装置が情報を配信する際の動作手順の一例を定めたフローチャートである。
【発明を実施するための形態】
【００１３】
最初に、本発明の実施形態の内容を列記して説明する。
【００１４】
（１）本発明の実施形態に係る情報配信装置は、災害関連情報を配信する情報配信装置であって、前記災害関連情報、前記情報配信装置と通信を行う１以上の端末装置からなる端末装置群、の一部または全部へ送信する情報送信部と、前記情報送信部が送信すべき前記災害関連情報に対する、前記情報配信装置が配信可能な情報の不足分に基づいて、前記情報配信装置に提供すべき対象情報の内容を判断可能な情報を含み、かつ前記対象情報を提供することの対価を示すインセンティブ情報を前記端末装置群の一部または全部へ送信する情報収集部とを備える。
【００１５】
このような構成により、端末装置のユーザーに対して、情報配信装置へ提供すべき対象情報が何に関する情報であるかを明確に示すことができるとともに、対象情報を提供した場合に供与される対価を示し、当該ユーザーに対象情報を提供するインセンティブを与えることができる。したがって、災害が発生した場合において災害に関する情報を効率良く収集し、端末装置のユーザーによる情報取得を支援することができる。
【００１６】
（２）好ましくは、前記情報収集部は、前記端末装置群の一部または全部から提供された情報を保持し、保持した前記情報に基づいて前記不足分を判断する。
【００１７】
このような構成により、端末装置から提供された情報に基づいて、適切に不足分を判断してインセンティブ情報を作成できるため、必要な情報を効率良く収集することができる。
【００１８】
（３）好ましくは、前記情報収集部は、前記端末装置群の一部または全部からの前記災害関連情報の要求内容を示す情報を保持し、保持した前記情報に基づいて前記不足分を判断する。
【００１９】
このような構成により、端末装置からの災害関連情報の要求に基づいて、適切に不足分を判断してインセンティブ情報を作成できるため、端末装置のユーザーが必要とする情報を効率良く収集することができる。
【００２０】
（４）好ましくは、前記情報収集部は、前記情報配信装置が保持している情報に基づいて前記インセンティブ情報を更新し、更新した前記インセンティブ情報を前記端末装置群の一部または全部へ送信する。
【００２１】
このような構成により、情報配信装置が収集すべき情報が変化しても、端末装置のユーザーに対して適切な内容のインセンティブ情報を示すことができるため、情報を効率良く収集することができる。
【００２２】
（５）好ましくは、前記情報配信装置は、さらに、前記災害関連情報を受信した前記端末装置群の一部または全部から前記災害関連情報の評価内容を示す評価情報を受信して、前記評価情報に基づいて、前記端末装置群の一部または全部からの前記対象情報の提供を評価する評価部を備え、前記情報収集部は、前記評価部による評価の高さに応じた前記対価を設定する。
【００２３】
このような構成により、災害関連情報の配信先の端末装置からの評価情報を用いて、端末装置のユーザーからの災害関連情報の提供を適切に評価し、対価を設定することができる。
【００２４】
（６）より好ましくは、前記情報収集部は、前記対価が設定されたことを示す情報を前記端末装置群の一部または全部へ送信する。
【００２５】
このような構成により、情報収集部から端末装置へ送信される情報が、災害関連情報の提供を促すための対価、が設定されたことを示す場合には、端末装置のユーザーは、たとえば、情報配信装置を運用するサービスプロバイダのホームページにおいて評価の高さに応じた対価を確認したうえで、災害関連情報を提供することができる。これにより、端末装置のユーザーに、高評価を獲得しうる有用な災害関連情報を提供することのインセンティブを与えることができる。
【００２６】
また、情報収集部から端末装置へ送信される情報が、すでに災害関連情報を提供した端末装置のユーザーに供与される対価、が設定されたことを示す場合には、災害関連情報を提供した端末装置のユーザーは、たとえば、サービスプロバイダのホームページにおいて、実際に受け取る対価を確認することができる。これにより、端末装置のユーザーに与えるインセンティブを高めることができる。
【００２７】
（７）本発明の実施形態に係る情報収集方法は、災害関連情報を配信する情報配信装置における情報収集方法であって、前記情報配信装置と通信を行う１以上の端末装置からなる端末装置群、の一部または全部へ送信すべき前記災害関連情報に対する、前記情報配信装置が配信可能な情報の不足分に基づいて、前記情報配信装置に提供すべき対象情報の内容を判断可能な情報を含み、かつ前記対象情報を提供することの対価を示すインセンティブ情報を作成するステップと、作成した前記インセンティブ情報を前記通信装置の一部または全部へ配信するステップとを含む。
【００２８】
このような方法により、インセンティブ情報を配信した端末装置のユーザーに、端末装置から情報配信装置へ提供すべき対象情報が何に関する情報であるかを示すことができ、また、対象情報を情報配信装置へ提供した場合に供与される対価を示すことができる。
これにより、当該ユーザーに対象情報を提供するインセンティブを与えることが可能となる。したがって、災害が発生した場合において災害に関する情報を効率良く収集し、端末装置のユーザーによる情報取得を支援することができる。
【００２９】
（８）本発明の実施形態に係る情報収集プログラムは、災害関連情報を配信する情報配信装置において用いられる情報収集プログラムであって、コンピュータに、前記情報配信装置と通信を行う１以上の端末装置からなる端末装置群、の一部または全部へ送信すべき前記災害関連情報に対する、前記情報配信装置が配信可能な情報の不足分に基づいて、前記情報配信装置に提供すべき対象情報の内容を判断可能な情報を含み、かつ前記対象情報を提供することの対価を示すインセンティブ情報を作成するステップと、作成した前記インセンティブ情報を前記通信装置の一部または全部へ配信するステップとを実行させるためのプログラムである。
【００３０】
このような方法により、インセンティブ情報を配信した端末装置のユーザーに、端末装置から情報配信装置へ提供すべき対象情報が何に関する情報であるかを示すことができ、また、対象情報を情報配信装置へ提供した場合に供与される対価を示すことができる。
これにより、当該ユーザーに対象情報を提供するインセンティブを与えることが可能となる。したがって、災害が発生した場合において災害に関する情報を効率良く収集し、端末装置のユーザーによる情報取得を支援することができる。
【００３１】
以下、本発明の実施の形態について図面を用いて説明する。なお、図中同一または相当部分には同一符号を付してその説明は繰り返さない。
【００３２】
＜第１の実施の形態＞
［構成および基本動作］
図１は、本発明の第１の実施の形態に係る災害時情報共有システムの構成を示す図である。
【００３３】
図１を参照して、災害時情報共有システム５０１は、複数の端末装置３０１と、情報配信装置１０１と、記憶装置１５１とを備える。なお、情報配信装置１０１は、記憶装置１５１を含む構成であってもよい。また、情報配信装置１０１は、たとえば、サービスプロバイダにより運営されるサーバーである。
【００３４】
端末装置３０１は、携帯電話、スマートフォンまたはタブレット等の無線端末装置であり、ネットワーク２０１と無線接続される。ネットワーク２０１は、たとえば、インターネットである。
【００３５】
なお、端末装置３０１は、無線端末装置に限らず、デスクトップパソコン等、有線によりネットワーク２０１と接続される装置であってもよい。また、ネットワーク２０１は、携帯電話ネットワークまたは無線ＬＡＮ等であってもよい。
【００３６】
災害時情報共有システム５０１は、地震、竜巻または津波等の災害に関する情報（以下、災害関連情報とも称する。）を各端末装置３０１のユーザーが共有するためのシステムである。災害時情報共有システム５０１において、端末装置３０１は、災害関連情報を情報配信装置１０１へ送信する。情報配信装置１０１は、災害関連情報を取得して管理する。情報配信装置１０１は、取得した災害関連情報を１または複数の端末装置３０１へ配信する。
【００３７】
以下、情報配信装置１０１へ災害関連情報を送信する端末装置３０１を端末装置３０１Ａとも称する。端末装置３０１Ａは、災害時情報共有システム５０１において１つ存在していてもよいし、複数存在していてもよい。端末装置３０１Ａのユーザーは、たとえば、被災地に存在する者である。
【００３８】
図２は、本発明の第１の実施の形態に係る災害時情報共有システムによる災害関連情報の取得および配信を示す図である。
【００３９】
図２を参照して、端末装置３０１Ａのユーザーは、端末装置３０１Ａを用いて災害関連情報をサービスプロバイダへ送信する。サービスプロバイダは、端末装置３０１Ａから送信された災害関連情報を情報配信装置１０１により収集して管理する。そして、サービスプロバイダは、端末装置３０１へ配信すべき災害関連情報を取得済である場合には、当該災害関連情報を端末装置３０１へ配信する。
【００４０】
すなわち、端末装置３０１Ａは、災害関連情報を、ネットワーク２０１を介して情報配信装置１０１へ送信する。情報配信装置１０１は、端末装置３０１Ａから受信した災害関連情報を、記憶装置１５１において作成されたデータベースに記録する。そして、情報配信装置１０１は、端末装置３０１へ配信すべき災害関連情報が当該データベースに記録されている場合には、当該災害関連情報を記憶装置１５１から取り出して端末装置３０１へ配信する。
【００４１】
ここで、災害関連情報とは、たとえば、Ａ地区、Ｂ地区、またはＣ地区等の被災地の各地域における火災の有無、建物倒壊の有無、電気使用の可否、道路の状態および避難所の場所等を示す情報である。また、災害関連情報は、特定の被災者の安否および特定の建物の状態等を示すものであってもよい。
【００４２】
たとえば、情報配信装置１０１は、複数の端末装置３０１Ａから災害関連情報を受信し、記憶装置１５１において作成されたデータベースに、Ａ地区における火災の有無を示す情報、Ａ地区における建物倒壊の有無を示す情報およびＢ地区における火災の有無を示す情報を記録したとする。この場合において、情報配信装置１０１は、Ａ地区における火災の有無を示す情報を端末装置３０１に配信すべきときには、記憶装置１５１からＡ地区における火災の有無の情報を取り出して端末装置３０１に配信する。
【００４３】
ここで、サービスプロバイダは、有用な災害関連情報を端末装置３０１のユーザーに配信するために、多くの災害関連情報を収集する必要がある。しかしながら、端末装置３０１Ａのユーザーには、サービスプロバイダへ災害関連情報を提供するメリットが少ないため、サービスプロバイダが多くの災害関連情報を収集するのは困難な場合が多い。
【００４４】
そこで、本発明の第１の実施の形態に係る災害時情報共有システム５０１では、情報配信装置１０１は、災害関連情報を提供するインセンティブを端末装置３０１Ａのユーザーに与えるためのインセンティブ情報を端末装置３０１へ配信する。
【００４５】
図３は、本発明の第１の実施の形態に係る災害時情報共有システムによるインセンティブ情報の配信を示す図である。
【００４６】
図３を参照して、情報配信装置１０１は、インセンティブ情報を作成して端末装置３０１に配信する。インセンティブ情報が配信される端末装置３０１は、たとえば、災害発生後に被災地周辺に存在する複数の端末装置３０１である。インセンティブ情報は、たとえば、被災地周辺にある基地局等から各端末装置３０１へブロードキャストされる。
【００４７】
インセンティブ情報は、情報配信装置１０１が取得すべき特定の災害関連情報、つまり端末装置３０１Ａが提供すべき情報（以下、対象情報とも称する。）の内容を判断可能な情報を含む。対象情報の内容を判断可能な情報とは、たとえば、Ａ地区、Ｂ地区またはＣ地区等のような地域名と、火災の有無、建物倒壊の有無または電気使用の可否等のような情報の種類とを示す情報である。端末装置３０１Ａのユーザーは、インセンティブ情報が示す特定の地域名称と情報の種類とから、どのような情報を情報配信装置１０１へ提供すべきかを判断することができる。
【００４８】
また、インセンティブ情報は、対象情報の提供に対して対価が供与される旨を示し、対象情報を供与することの対価を示す。端末装置３０１Ａのユーザーは、インセンティブ情報が示す対価を確認して、知得している情報を情報配信装置１０１へ提供するか否かを判断する。
【００４９】
対象情報を提供した端末装置３０１Ａのユーザーには、インセンティブ情報に示された対価が供与される。対価は、たとえば現金またはクーポン等であり、供与される際には現金書留またはメール等により送付される。
【００５０】
情報配信装置１０１は、災害発生後に災害関連情報の提供を依頼するための情報提供依頼を端末装置３０１へ配信して端末装置３０１Ａから災害関連情報を収集し、その後インセンティブ情報を作成して配信してもよいし、情報提供依頼を端末装置３０１へ配信せずに、インセンティブ情報を作成して配信してもよい。
【００５１】
情報配信装置１０１は、対象情報ごとに対価を変えることによって、より取得したい情報を効率良く収集する。たとえば、情報配信装置１０１は、対象情報ごとに対価として供与する現金の額またはクーポンが示す額等（以下、対価額とも称する。）を設定することにより、対価額を高く設定した対象情報をより効率的に収集することができる。
【００５２】
また、情報配信装置１０１は、インセンティブ情報を随時更新することによって、より効率的に災害関連情報を収集する。情報配信装置１０１は、更新後のインセンティブ情報を端末装置３０１へ配信してもよいし、たとえば、サービスプロバイダが開設するホームページに公開するに留めてもよい。
【００５３】
端末装置３０１Ａのユーザーは、受信したインセンティブ情報を考慮して、災害関連情報をサービスプロバイダへ提供するか否かを判断する。情報配信装置１０１は、インセンティブ情報を受信した端末装置３０１Ａからの災害関連情報を受信した場合も、図２に示すように、受信した災害関連情報を記憶装置１５１におけるデータベースに記録する。
【００５４】
図４は、本発明の第１の実施の形態に係る情報配信装置の構成を示す図である。
【００５５】
図４を参照して、情報配信装置１０１は、情報受信部１２と、情報送信部１３と、情報収集部１７とを備える。情報収集部１７は、情報管理部１１と、インセンティブ情報送信部１５と、インセンティブ設定部１６とを含む。
【００５６】
情報送信部１３は、災害関連情報を端末装置３０１へ送信する。情報収集部１７は、インセンティブ情報を端末装置３０１へ送信する。
【００５７】
より詳細には、情報受信部１２は、端末装置３０１Ａから災害関連情報を受信し、受信した災害関連情報を情報管理部１１へ送る。情報管理部１１は、情報受信部１２から受けた災害関連情報を記憶装置１５１におけるデータベースＰに記録する。また、情報管理部１１は、情報受信部１２から新たな災害関連情報を受けると、データベースＰを更新する。データベースＰには、端末装置３０１Ａ以外から取得した災害関連情報が記録される場合もある。たとえば、サービスプロバイダがデータベースＰに直接災害関連情報を登録する場合がある。
【００５８】
情報管理部１１は、配信すべき災害関連情報がデータベースＰに存在する場合、記憶装置１５１から当該災害関連情報を取り出して情報送信部１３へ送る。情報送信部１３は、情報管理部１１から受けた災害関連情報を端末装置３０１へ送信する。
【００５９】
インセンティブ設定部１６は、対象情報を決定し、当該対象情報に関するインセンティブ情報を作成してインセンティブ情報送信部１５へ送る。インセンティブ情報送信部１５は、インセンティブ設定部１６から受けたインセンティブ情報を端末装置３０１へ送信する。
【００６０】
より詳細には、インセンティブ設定部１６は、情報送信部１３が送信すべき災害関連情報に対して、情報配信装置１０１が配信可能な情報が不足している場合には、情報配信装置１０１が配信可能な情報の不足分に基づいてインセンティブ情報を作成する。つまり、インセンティブ設定部１６は、情報送信部１３が端末装置３０１へ送信すべき災害関連情報に対して、情報配信装置１０１がすでに取得している情報が不足している場合には、情報配信装置１０１がすでに取得している情報の不足分に基づいてインセンティブ情報を作成する。
【００６１】
情報収集部１７は、端末装置３０１Ａから提供された情報を保持し、保持した情報に基づいて、情報配信装置１０１が配信可能な情報の不足分を判断する。より詳細には、たとえば、情報管理部１１は、端末装置３０１Ａから提供された災害関連情報をデータベースＰに記録する。インセンティブ設定部１６は、情報管理部１１によりデータベースＰに記録された災害関連情報に基づいて、情報配信装置１０１が配信可能な災害関連情報の不足分を判断し、不足している災害関連情報を対象情報とする。そして、インセンティブ設定部１６は、当該対象情報の提供に対する対価を決定してインセンティブ情報を作成する。
【００６２】
インセンティブ設定部１６は、収集する必要性がより高い対象情報に関して、より高い対価を設定する。たとえば、インセンティブ設定部１６は、特定の災害関連情報をできるだけ早く端末装置３０１に配信すべき場合に、当該特定の災害関連情報を収集する必要性が高いと判断して対価を高く設定する。
【００６３】
また、情報収集部１７は、情報配信装置１０１が保持している情報に基づいてインセンティブ情報を更新し、更新したインセンティブ情報を端末装置３０１へ送信する。たとえば、インセンティブ設定部１６は、データベースＰに記録された情報に基づいてインセンティブ情報を更新する。インセンティブ情報送信部１５は、インセンティブ設定部１６が更新したインセンティブ情報を端末装置３０１に送信する。
【００６４】
具体的には、インセンティブ設定部１６は、収集する必要性が上昇した対象情報に関して、インセンティブ情報を更新して対価額を上げる。たとえば、インセンティブ設定部１６は、インセンティブ情報を配信しているにも関わらず、端末装置３０１Ａから送信されてこない災害関連情報については、インセンティブ情報を更新して対価額を上げる。一方、インセンティブ設定部１６は、収集する必要性が低下した対象情報に関して、インセンティブ情報を更新して対価額を下げる。たとえば、インセンティブ設定部１６は、インセンティブ情報の配信後に端末装置３０１Ａから対象情報が送信されてきた場合にはインセンティブ情報を更新して対価額を下げる。
【００６５】
インセンティブ情報の更新は、情報配信装置１０１に必要な情報を効率良く収集するために、またはサービスプロバイダが不必要な対価を端末装置３０１Ａのユーザーに供与しないですむように動的に行われる。
【００６６】
また、インセンティブ情報の更新は、インセンティブ情報を送信した後に端末装置３０１Ａから提供された情報に基づいて行い、保持している情報に基づかずに行ってもよい。
たとえば、インセンティブ設定部１６は、端末装置３０１Ａから対象情報が提供された場合に、当該対象情報に基づいて、インセンティブ情報を更新して対価額を下げてもよい。
【００６７】
図５は、本発明の第１の実施の形態に係る情報配信装置により管理される災害関連情報のテーブルの一例を示す図である。
【００６８】
図５を参照して、テーブルにおいて、「災害情報ＩＤ」は、提供された情報の識別番号である。「提供者ＩＤ」は、提供者ごとに与えられる識別番号である。「送信時間」は、災害関連情報が端末装置３０１Ａから情報配信装置１０１へ送信された時間である。「場所」は、災害関連情報がどの地区に関するものであるかを示す。また、「けが人の有無」、「火災の有無」、「建物倒壊の有無」、「電気使用の可否」および「道路状態の良否」は、「場所」における災害の影響を示す。
【００６９】
「災害情報ＩＤ」は、たとえば、情報配信装置１０１が受信した各災害関連情報に対して、情報配信装置１０１の受信順に付される災害関連情報の識別番号である。
【００７０】
情報配信装置１０１は、端末装置３０１へ災害関連情報を配信する場合に、端末装置３０１へ提供者ＩＤを送信してもよいし、送信しなくてもよい。端末装置３０１のユーザーは、情報配信装置１０１から提供者ＩＤを受信した場合には、当該提供者ＩＤに基づいて情報の信頼性を判断することも可能である。また、提供者ＩＤは、たとえば、情報提供者に対価を供与する際に必要となる。
【００７１】
「送信時間」は、たとえば、端末装置３０１Ａが災害関連情報を情報配信装置１０１へ送信する際に端末装置３０１Ａが付加したタイムスタンプにより示される時間である。情報配信装置１０１から災害関連情報を受信した端末装置３０１のユーザーは、当該災害関連情報の送信時間を確認することにより、当該災害関連情報の有用性を判断することができる。一般的に、新しい災害関連情報ほど有用性が高い。
【００７２】
「場所」は、市町村等の地域でもよく、さらに小さく区分けした地域でもよく、また、具体的な住所であってもよい。なお、「けが人の有無」、「火災の有無」、「建物倒壊の有無」、「電力の有無」および「道路使用の可否」は、一例であって、災害に関する情報であればこれらに限らない。
【００７３】
図６は、本発明の第１の実施の形態に係る災害時情報共有システムにおけるインセンティブ情報の一例を示す図である。
【００７４】
図６を参照して、インセンティブ情報は、「対象情報」の内容を判断可能な情報として、「場所」および「情報の種類」を示す。また、インセンティブ情報は、対象情報を提供することの「対価」を示す。つまり、図６に示すインセンティブ情報は、特定の場所における特定の種類の災害関連情報を提供した場合に供与される対価を示す。
【００７５】
［動作］
本発明の第１の実施の形態に係る災害時情報共有システムにおける情報配信装置は、以下の各フローチャートの各ステップの一部または全部を含むプログラムを図示しないメモリから読み出して実行する。このプログラムは、外部からインストールすることができる。このインストールされるプログラムは、たとえば記録媒体に格納された状態で流通する。
【００７６】
図７は、本発明の第１の実施の形態に係る情報配信装置が情報を配信する際の動作手順の一例を定めたフローチャートである。
【００７７】
図７を参照して、情報配信装置１０１は、災害が発生するまで待機する（ステップＳ１１でＮＯ）。
【００７８】
次に、情報配信装置１０１は、災害が発生すると（ステップＳ１１でＹＥＳ）、この時点において配信可能な災害関連情報を端末装置３０１へ配信する（ステップＳ１２）。たとえば、情報配信装置１０１は、災害発生前に収集しておいた各地域における避難場所に関する災害関連情報を端末装置３０１へ配信する。情報配信装置１０１は、たとえばネットワーク２０１に接続された他の装置から災害の発生を示す災害発生情報を受信して災害の発生を認識する。
【００７９】
次に、情報配信装置１０１は、端末装置３０１へ情報提供依頼を配信する（ステップＳ１３）。情報配信装置１０１は、情報配信装置１０１がすでに保持している災害関連情報に対する、情報配信装置１０１が端末装置３０１へ配信すべき情報の不足分の提供を依頼する。
【００８０】
情報提供依頼の配信先の端末装置３０１は、たとえば、災害発生直後に被災地周辺に存在する複数の端末装置３０１である。情報提供依頼は、たとえば、被災地周辺にある基地局等から端末装置３０１へブロードキャストされる。
【００８１】
端末装置３０１Ａのユーザーは、端末装置３０１Ａが受信した情報提供依頼の内容を確認し、災害関連情報を知得していた場合には、当該災害関連情報を端末装置３０１Ａから情報配信装置１０１へ送信する。なお、当該ユーザーは、たとえばＥＴＷＳ（Earthquake Ａnd Tsunami Warning System）による情報配信を受けて、災害関連情報を送信してもよい。
【００８２】
次に、情報配信装置１０１は、端末装置３０１Ａから提供される災害関連情報を収集する（ステップＳ１４）。
【００８３】
次に、情報配信装置１０１は、収集した情報が十分であるか否かを判断する（ステップＳ１５）。つまり、情報配信装置１０１は、配信可能な災害関連情報が配信すべき災害関連情報に対して十分であるか否かを判断する。たとえば、情報配信装置１０１は、端末装置３０１へ配信すべき情報をすべて取得していて、他に必要な情報が無い場合には、収集した情報が十分であると判断する。
【００８４】
次に、情報配信装置１０１は、収集した情報が十分であると判断した場合（ステップＳ１５でＹＥＳ）、配信すべき災害関連情報を端末装置３０１へ配信する（ステップＳ１６）。
【００８５】
一方、情報配信装置１０１は、収集した情報が十分でないと判断した場合（ステップＳ１５でＮＯ）、インセンティブ情報を作成し（ステップＳ１７）、作成したインセンティブ情報を端末装置３０１へ配信する（ステップＳ１８）。
【００８６】
次に、情報配信装置１０１は、インセンティブ情報を受信した端末装置３０１から新たに送信される災害関連情報を収集する。（ステップＳ１４）。
【００８７】
次に、情報配信装置１０１は、収集した情報が十分であるか否かを判断し（ステップＳ１５）、収集した情報が十分でないと判断した場合には（ステップＳ１５でＮＯ）、インセンティブ情報を更新して（ステップＳ１７）、更新したインセンティブ情報を端末装置３０１へ配信する（ステップＳ１８）。
【００８８】
なお、情報配信装置１０１は、災害関連情報が十分でなかった場合であっても（ステップＳ１５でＮＯ）、端末装置３０１へ配信すべき災害関連情報の一部をすでに取得している場合には、当該一部の災害関連情報を端末装置３０１へ配信する。このような方法により、情報配信装置１０１は、緊急性を要する場合がある災害関連情報をできるだけ迅速に端末装置３０１へ配信することができる。
【００８９】
また、情報配信装置１０１は、災害の発生を認識した（ステップＳ１１でＹＥＳ）直後に、配信可能な災害関連情報の配信（ステップＳ１２）および情報提供依頼の配信（ステップＳ１３）を行わない構成であってもよい。
【００９０】
ところで、災害が発生した場合に、被災者の端末装置から当該被災者の安否情報を自動で送信する情報通信システムでは、ユーザーは、被災地におけるインフラの状況および火災の有無等、災害の影響を示す情報を取得できないため、被災地の状況を把握することができない。また、サーバーが、被災地に存在する端末装置から災害に関する情報を収集して端末装置へ配信する通信システムでは、被災地に存在する端末装置を所有するユーザーにとっては情報をサーバーへ提供するメリットが少ないため、サーバーは多くの情報を収集することができない場合がある。
【００９１】
これに対して、本発明の第１の実施形態に係る情報配信装置では、情報送信部１３は、災害関連情報を、１以上の端末装置３０１からなる端末装置群の一部または全部へ送信する。情報収集部１７は、情報送信部１３が送信すべき災害関連情報に対する、情報配信装置１０１が配信可能な情報の不足分に基づいて、インセンティブ情報を上記端末装置群の一部または全部へ送信する。インセンティブ情報は、情報配信装置１０１に提供すべき対象情報の内容を判断可能な情報を含み、かつ対象情報を提供することの対価を示す。
【００９２】
このような構成により、インセンティブ情報を配信した端末装置３０１Ａのユーザーに、端末装置３０１Ａから情報配信装置１０１へ提供すべき対象情報が何に関する情報であるかを示すことができ、また、対象情報を情報配信装置１０１へ提供した場合に供与される対価を示すことができる。これにより、当該ユーザーに対象情報を提供するインセンティブを与えることが可能となる。したがって、災害が発生した場合において災害に関する情報を効率良く収集し、端末装置３０１のユーザーによる情報取得を支援することができる。
【００９３】
また、本発明の第１の実施の形態に係る情報配信装置では、情報収集部１７は、上記端末装置群の一部または全部から提供された情報を保持し、保持した情報に基づいて、情報送信部１３が送信すべき災害関連情報に対する、情報配信装置１０１が配信可能な情報の不足分を判断する。
【００９４】
このような構成により、提供された情報に基づいて、適切に不足分を判断してインセンティブ情報を作成できるため、必要な情報を効率良く収集することができる。
【００９５】
また、本発明の第１の実施の形態に係る情報配信装置では、情報配信装置１０１が保持している情報に基づいてインセンティブ情報を更新し、更新したインセンティブ情報を上記端末装置群の一部または全部へ送信する。
【００９６】
このような構成により、情報配信装置１０１が収集すべき情報が変化しても、端末装置３０１Ａのユーザーに対して適切な内容のインセンティブ情報を示すことができるため、情報を効率良く収集することができる。
【００９７】
次に、本発明の他の実施の形態について図面を用いて説明する。なお、図中同一または相当部分には同一符号を付してその説明は繰り返さない。
【００９８】
＜第２の実施の形態＞
本実施の形態は、第１の実施の形態に係る災害時情報共有システムと比べて、端末装置からの要求を受けて災害関連情報を配信する災害時情報共有システムに関する。以下で説明する内容以外は、第１の実施の形態に係る災害時情報共有システムと同様である。
【００９９】
［構成および基本動作］
図８は、本発明の第２の実施の形態に係る災害時情報共有システムによる災害関連情報の取得および配信を示す図である。
【０１００】
図８を参照して、災害時情報共有システム５０２は、複数の端末装置３０１と、情報配信装置１０２と、記憶装置１５１とを備える。なお、情報配信装置１０２は、記憶装置１５１を含む構成であってもよい。
【０１０１】
以下、情報配信装置１０２に対して災害関連情報の配信を要求する端末装置３０１を端末装置３０１Ｂとも称する。端末装置３０１Ｂのユーザーは、たとえば、被災地のインフラの状態に関する情報または被災者の安否に関する情報等を取得したい者である。災害時情報共有システム５０２では、端末装置３０１Ｂは、情報配信装置１０２へ災害関連情報の要求を行う。
【０１０２】
なお、端末装置３０１Ａおよび端末装置３０１Ｂは、別個の端末装置であってもよいし、同一の端末装置であってもよい。また、端末装置３０１Ａおよび端末装置３０１Ｂは、それぞれ、災害時情報共有システム５０２において１つ存在していてもよいし、複数存在していてもよい。
【０１０３】
端末装置３０１Ａのユーザーは、端末装置３０１Ａを用いて災害関連情報をサービスプロバイダへ送信する。サービスプロバイダは、端末装置３０１Ａから送信された災害関連情報を情報配信装置１０２により収集して管理する。端末装置３０１Ｂのユーザーは、端末装置３０１Ｂを用いてサービスプロバイダに対して災害関連情報の配信を要求する。そして、サービスプロバイダは、端末装置３０１Ｂへ配信すべき災害関連情報を取得済である場合には、当該災害関連情報を端末装置３０１Ｂに配信する。
【０１０４】
すなわち、端末装置３０１Ａは、災害関連情報を、ネットワーク２０１を介して情報配信装置１０２へ送信する。情報配信装置１０２は、端末装置３０１Ａから受信した災害関連情報を、記憶装置１５１におけるデータベースに記録する。端末装置３０１Ｂは、災害関連情報の配信を要求する旨を示す配信要求を情報配信装置１０２へ送信する。情報配信装置１０２は、端末装置３０１Ｂから受信した配信要求に対応する災害関連情報が当該データベースに記録されている場合には、当該配信要求に対応する災害関連情報を記憶装置１５１から取り出して要求元の端末装置３０１Ｂに配信する。
【０１０５】
たとえば、情報配信装置１０２は、複数の端末装置３０１Ａから災害関連情報を受信し、記憶装置１５１において作成されたデータベースに、Ａ地区における火災の有無を示す情報、Ａ地区における建物倒壊の有無を示す情報およびＢ地区における火災の有無を示す情報を記録したとする。この場合において、情報配信装置１０２は、Ａ地区における火災の有無を示す情報を端末装置３０１Ｂから要求されると、記憶装置１５１からＡ地区における火災の有無の情報を取り出し、当該情報を要求元の端末装置３０１Ｂへ配信する。
【０１０６】
インセンティブ情報は、たとえば、被災地周辺にある基地局等から各端末装置３０１へブロードキャストされる。インセンティブ情報がブロードキャストされた場合、端末装置３０１Ａだけではなく端末装置３０１Ｂもインセンティブ情報を受信し得る。
【０１０７】
図９は、本発明の第２の実施の形態に係る情報配信装置の構成を示す図である。
【０１０８】
図９を参照して、情報配信装置１０２は、図４に示す情報配信装置１０１と比べて、さらに、要求受信部１４を備える。
【０１０９】
要求受信部１４は、端末装置３０１Ｂから災害関連情報の配信要求を受信して情報管理部１１へ送る。情報管理部１１は、要求受信部１４から受けた配信要求が示す災害関連情報がデータベースＰに存在する場合、記憶装置１５１から当該災害関連情報を取り出して情報送信部１３へ送る。情報送信部１３は、情報管理部１１から受けた災害関連情報を当該災害関連情報の要求元である端末装置３０１へ配信する。
【０１１０】
一方、情報管理部１１は、端末装置３０１Ｂから要求されている災害関連情報がデータベースＰに存在しない場合には、要求された災害関連情報を送信することができない旨を情報送信部１３から端末装置３０１Ｂへ送信させる。また、インセンティブ設定部１６は、端末装置３０１Ｂから要求されている災害関連情報がデータベースＰに存在しない場合、対象情報を決定し、当該対象情報に関するインセンティブ情報を作成してインセンティブ情報送信部１５へ送る。インセンティブ情報送信部１５は、インセンティブ設定部１６から受けたインセンティブ情報を端末装置３０１へ送信する。
【０１１１】
具体的には、インセンティブ設定部１６は、情報送信部１３が送信すべき災害関連情報に対して、情報配信装置１０２が配信可能な情報が不足している場合には、情報配信装置１０２が配信可能な情報の不足分に基づいてインセンティブ情報を作成する。たとえば、インセンティブ設定部１６は、情報配信装置１０２がすでに取得している情報、つまり配信可能な情報だけでは、端末装置３０１Ｂからの要求に十分に対応できない場合に、不足している情報を対象情報とし、当該対象情報の提供に対する対価を決定する。
【０１１２】
情報収集部１７は、端末装置３０１Ｂからの災害関連情報の要求内容を示す情報を保持し、保持した情報に基づいて、情報配信装置１０２が配信可能な情報の不足分を判断する。
【０１１３】
具体的には、たとえば、情報管理部１１は、端末装置３０１Ｂからの要求内容を示す情報を記憶装置１５１において作成されたデータベースＱに記録する。インセンティブ設定部１６は、データベースＱに記録された要求内容を示す情報に基づいて、情報配信装置１０２が配信可能な情報の不足分を判断し、不足している情報を対象情報とする。そして、インセンティブ設定部１６は、当該対象情報の提供に対する対価を決定してインセンティブ情報を作成する。
【０１１４】
また、インセンティブ設定部１６は、たとえば、データベースＰに記録された情報およびデータベースＱに記録された情報の両方に基づいて、情報配信装置１０２が配信可能な情報の不足分を判断してもよい。
【０１１５】
データベースＱには、たとえば、端末装置３０１Ｂから配信要求が送信された時間、端末装置３０１Ｂの識別番号および要求内容等が記録される。
【０１１６】
インセンティブ設定部１６は、収集する必要性がより高い対象情報に関して、より高い対価を設定する。たとえば、インセンティブ設定部１６は、データベースＱに記録された要求内容を示す情報から、特定の災害関連情報について多くの要求がされていると判断した場合、当該特定の災害関連情報を収集する必要性が高いと判断して対価を高く設定する。
【０１１７】
情報収集部１７は、情報配信装置１０２が保持している情報に基づいてインセンティブ情報を更新し、更新したインセンティブ情報を端末装置３０１へ送信する。
【０１１８】
たとえば、インセンティブ設定部１６は、データベースＰに記録された情報またはデータベースＱに記録された情報のいずれか一方に基づいて、または両方に基づいてインセンティブ情報を更新する。インセンティブ情報送信部１５は、インセンティブ設定部１６が更新したインセンティブ情報を端末装置３０１に送信する。
【０１１９】
なお、情報送信部１３は、情報管理部１１から受けた災害関連情報を、当該災害関連情報の要求元である端末装置３０１Ｂ以外の端末装置３０１へ配信してもよい。たとえば、情報送信部１３は、多くの端末装置３０１Ｂから要求される災害関連情報を各端末装置３０１へブロードキャストする。
【０１２０】
また、インセンティブ情報の更新は、インセンティブ情報を送信した後に端末装置３０１Ｂからの災害情報の要求内容に基づいて行い、保持している情報に基づかずに行ってもよい。たとえば、インセンティブ設定部１６は、端末装置３０１Ｂから災害情報の要求がされた場合に、要求内容に基づいてインセンティブ情報を更新して対価額を上げてもよい。
【０１２１】
［動作］
本発明の第２の実施の形態に係る災害時情報共有システムにおける情報配信装置は、以下の各フローチャートの各ステップの一部または全部を含むプログラムを図示しないメモリから読み出して実行する。このプログラムは、外部からインストールすることができる。このインストールされるプログラムは、たとえば記録媒体に格納された状態で流通する。
【０１２２】
図１０は、本発明の第２の実施の形態に係る情報配信装置が情報を配信する際の動作手順の一例を定めたフローチャートである。
【０１２３】
図１０を参照して、情報配信装置１０２は、災害が発生するまで待機する（ステップＳ３１でＮＯ）。
【０１２４】
次に、情報配信装置１０２は、災害が発生すると（ステップＳ３１でＹＥＳ）、この時点において配信可能な災害関連情報を端末装置３０１へ配信する（ステップＳ３２）。たとえば、情報配信装置１０２は、災害発生前に収集しておいた各地域における避難場所に関する災害関連情報を端末装置３０１へ配信する。情報配信装置１０２は、たとえばネットワーク２０１に接続された他の装置から災害の発生を示す災害発生情報を受信して災害の発生を認識する。
【０１２５】
次に、情報配信装置１０２は、端末装置３０１へ情報提供依頼を配信する（ステップＳ３３）。たとえば、情報配信装置１０２は、自己がすでに保持している災害関連情報に対する、情報配信装置１０２が端末装置３０１へ配信すべき情報の不足分の提供を依頼する。
【０１２６】
情報提供依頼の配信先の端末装置３０１は、たとえば、災害発生直後に被災地周辺に存在する複数の端末装置３０１である。情報提供依頼は、たとえば、被災地周辺にある基地局等から各端末装置３０１へブロードキャストされる。
【０１２７】
端末装置３０１Ａのユーザーは、端末装置３０１Ａが受信した情報提供依頼の内容を確認し、災害関連情報を知得済である場合には、当該災害関連情報を端末装置３０１Ａから情報配信装置１０２へ送信する。なお、当該ユーザーは、たとえばＥＴＷＳ（Earthquake Ａnd Tsunami Warning System）による情報配信を受けて、災害関連情報を送信してもよい。
【０１２８】
次に、情報配信装置１０２は、端末装置３０１Ａから提供される災害関連情報を収集する（ステップＳ３４）。
【０１２９】
次に、情報配信装置１０２は、端末装置３０１Ｂから配信要求を受信する（ステップＳ３５）。
【０１３０】
次に、情報配信装置１０２は、収集した情報が十分であるか否かを判断する（ステップＳ３６）。つまり、情報配信装置１０２は、配信可能な災害関連情報が配信すべき災害関連情報に対して十分であるか否かを判断する。たとえば、情報配信装置１０２は、端末装置３０１Ｂからの配信要求に対応する情報をすべて取得していて、他に必要な情報が無い場合には、収集した情報が十分であると判断する。
【０１３１】
次に、情報配信装置１０２は、収集した情報が十分であると判断した場合（ステップＳ３６でＹＥＳ）、端末装置３０１Ｂへ災害関連情報を配信する（ステップＳ３７）。
【０１３２】
次に、情報配信装置１０２は、新たな配信要求を受信するまで待機する（ステップＳ３８でＮＯ）。
【０１３３】
次に、情報配信装置１０２は、新たな配信要求を受信すると（ステップＳ３８でＹＥＳ）、収集した情報が十分であるか否かを判断する（ステップＳ３６）。つまり、情報配信装置１０２は、新たな配信要求を受けて、配信可能な災害関連情報が、配信すべき災害関連情報に対して十分であるか否かを判断する。
【０１３４】
次に、情報配信装置１０２は、収集した情報が十分でないと判断した場合（ステップＳ３６でＮＯ）、インセンティブ情報を作成し（ステップＳ３９）、作成したインセンティブ情報を端末装置３０１へ配信する（ステップＳ４０）。
【０１３５】
次に、情報配信装置１０２は、インセンティブ情報を受信した端末装置３０１Ａから新たに送信される災害関連情報を収集する（ステップＳ４１）。
【０１３６】
次に、情報配信装置１０２は、収集した情報が十分であるか否かを判断する（ステップＳ３６）。
【０１３７】
次に、情報配信装置１０２は、収集した情報が十分でないと判断した場合、（ステップＳ３６でＮＯ）、インセンティブ情報を更新し（ステップＳ３９）、更新したインセンティブ情報を端末装置３０１へ配信する（ステップＳ４０）。
【０１３８】
一方、情報配信装置１０２は、端末装置３０１Ｂから配信要求を受信した（ステップＳ３５）後、収集した情報が十分でないと判断した場合も（ステップＳ３６でＮＯ）、インセンティブ情報を作成し（ステップＳ３９）、作成したインセンティブ情報を配信する（ステップＳ４０）。
【０１３９】
なお、情報配信装置１０２は、災害関連情報が十分でなかった場合であっても（ステップＳ３６でＮＯ）、端末装置３０１Ｂからの配信要求に対応する災害関連情報の一部をすでに取得している場合には、当該一部の災害関連情報を端末装置３０１Ｂへ配信してもよい。このような方法により、情報配信装置１０２は、緊急性を要する場合がある災害関連情報をできるだけ迅速に端末装置３０１Ｂへ配信することができる。
【０１４０】
また、情報配信装置１０２は、災害の発生を認識した（ステップＳ３１でＹＥＳ）直後に、配信可能な災害関連情報の配信（ステップＳ３２）および情報提供依頼の配信（ステップＳ３３）を行わない構成であってもよい。
【０１４１】
以上のように、本発明の第２の実施形態に係る情報配信装置では、情報収集部１７は、１以上の端末装置３０１からなる端末装置群、の一部または全部からの災害関連情報の要求内容を示す情報を保持し、保持した情報に基づいて、情報送信部１３が送信すべき災害関連情報に対する、情報配信装置１０２が配信可能な情報の不足分を判断する。
【０１４２】
このような構成により、端末装置３０１Ｂからの災害関連情報の要求に基づいて、適切に不足分を判断してインセンティブ情報を作成できるため、ユーザーが必要とする情報を効率良く収集することができる。
【０１４３】
また、本発明の第２の実施の形態に係る情報配信装置では、情報収集部１７は、情報配信装置１０２が保持している、上記端末装置群の一部または全部からの災害関連情報の要求内容を示す情報に基づいて、インセンティブ情報を更新し、更新したインセンティブ情報を端末装置３０１へ送信する。
【０１４４】
このような構成により、端末装置３０１Ｂからの災害関連情報の要求によって情報配信装置１０２が収集すべき情報が変化しても、ユーザーに対して適切なインセンティブ情報を示すことができるため、情報を効率良く収集することができる。
【０１４５】
次に、本発明の他の実施の形態について図面を用いて説明する。なお、図中同一または相当部分には同一符号を付してその説明は繰り返さない。
【０１４６】
＜第３の実施の形態＞
本実施の形態は、第１の実施の形態に係る災害時情報共有システムと比べて、災害関連情報の提供を評価する災害時情報共有システムに関する。以下で説明する内容以外は第１の実施の形態に係る災害時情報共有システムと同一である。
【０１４７】
［構成および基本動作］
本発明の第３の実施の形態に係る無線通信システムでは、災害関連情報の提供に対する対価は、当該災害関連情報の配信先である端末装置３０１のユーザーによる当該災害関連情報の評価に基づいて定められる。
【０１４８】
図１１は、本発明の第３の実施の形態に係る災害時情報共有システムによる災害関連情報の配信および評価情報の取得を示す図である。
【０１４９】
図１１を参照して、災害時情報共有システム５０３は、複数の端末装置３０１と、情報配信装置１０３と、記憶装置１５１とを備える。なお、情報配信装置１０３は、記憶装置１５１を含む構成であってもよい。
【０１５０】
以下、災害関連情報の配信先である端末装置３０１を端末装置３０１Ｃとも称する。災害時情報共有システム５０３では、情報配信装置１０３から災害関連情報を受信した端末装置３０１Ｃは、当該災害関連情報の評価内容を示す情報を情報配信装置１０３へ送信する。
【０１５１】
なお、端末装置３０１Ａおよび端末装置３０１Ｃは、別個の端末装置であってもよいし、同一の端末装置であってもよい。また、端末装置３０１Ａおよび端末装置３０１Ｃは、それぞれ、災害時情報共有システム５０３において１つ存在していてもよいし、複数存在していてもよい。
【０１５２】
端末装置３０１Ａのユーザーは、図示しないインセンティブ情報の配信を受けて、対象情報を、端末装置３０１Ａを用いてサービスプロバイダへ送信する。サービスプロバイダは、端末装置３０１Ａから送信された対象情報である災害関連情報を情報配信装置１０３により収集して管理する。そして、サービスプロバイダは、端末装置３０１Ｃへ配信すべき災害関連情報を取得済である場合には、当該災害関連情報を端末装置３０１Ｃに配信する。端末装置３０１Ｃのユーザーは、端末装置３０１Ｃを用いて災害関連情報を確認した後、確認した災害関連情報の評価を行い、評価内容を端末装置３０１Ｃからサービスプロバイダへ送信する。
【０１５３】
すなわち、端末装置３０１Ａは、情報配信装置１０３から図示しないインセンティブ情報の配信を受けて、対象情報を、ネットワーク２０１を介して情報配信装置１０３へ送信する。情報配信装置１０３は、対象情報である災害関連情報を端末装置３０１Ａから受信して記憶装置１５１におけるデータベースに記録する。そして、情報配信装置１０３は、端末装置３０１Ｃへ配信すべき災害関連情報が当該データベースに記録されている場合には、当該災害関連情報を記憶装置１５１から取り出して端末装置３０１Ｃへ配信する。端末装置３０１Ｃは、配信された災害関連情報に対する評価の内容を示す情報（以下、評価情報とも称する。）を情報配信装置１０３へ送信する。
【０１５４】
情報配信装置１０３から配信されるインセンティブ情報は、対象情報の提供に対して対価が供与される旨を示し、対象情報を提供することの対価を示す。インセンティブ情報の示す対価は、情報配信装置１０３による評価に応じて異なる。たとえば、インセンティブ情報は、評価レベルが５の場合は、対価として１０００円が供与される旨を示し、評価レベルが４の場合は、対価として５００円が供与される旨を示す。
【０１５５】
端末装置３０１Ａのユーザーは、インセンティブ情報が示す対価を確認し、知得している情報を情報配信装置１０３へ提供するか否かを判断する。また、端末装置３０１Ａのユーザーは、より高い対価額を取得するために、高い評価を得ようとすると考えらえる。
【０１５６】
情報配信装置１０３からの災害関連情報を受信した端末装置３０１Ｃのユーザーは、配信された情報の有用性、たとえば情報の正確さおよび配信までの早さ等を考慮して評価を行い、評価内容を示す評価情報を情報配信装置１０３へ送信する。評価情報は、たとえば、１〜５の数値で表される評価レベルを示す。
【０１５７】
情報配信装置１０３は、端末装置３０１Ｃから受信した評価情報に基づいて、端末装置３０１Ａによる災害関連情報の提供を評価する。端末装置３０１Ａのユーザーへは、情報配信装置１０３による評価に応じた対価が供与される。
【０１５８】
図１２は、本発明の第３の実施の形態に係る情報配信装置の構成を示す図である。
【０１５９】
図１２を参照して、情報配信装置１０３は、図４に示す情報配信装置１０１と比べて、さらに評価部２０を備える。評価部２０は、評価判断部１８と、評価受信部１９とを含む。
【０１６０】
評価部２０は、災害関連情報を受信した端末装置３０１Ｃから当該災害関連情報の評価内容を示す評価情報を受信して、当該評価情報に基づいて、端末装置３０１Ａからの対象情報の提供を評価する。
【０１６１】
より詳細には、評価受信部１９は、端末装置３０１Ｃから評価情報を受信して評価判断部１８へ送る。評価判断部１８は、評価受信部１９から受けた当該評価情報に基づいて、端末装置３０１Ａによる対象情報の提供を評価する。
【０１６２】
たとえば、評価判断部１８は、各端末装置３０１Ｃから送信された評価情報を集計して総合評価情報を作成する。総合評価情報は、たとえば、評価受信部１９が特定の災害関連情報について複数の評価情報を受信した場合、各評価情報が示す評価レベルの平均値等を示す。総合評価情報も評価情報と同様に、たとえば１〜５の数値で表される評価レベルを示す。
【０１６３】
評価判断部１８は、作成した総合評価情報を情報管理部１１へ送る。情報管理部１１は、評価判断部１８から総合評価情報を受けて、記憶装置１５１におけるデータベースＰに反映させる。すなわち、情報管理部１１は、データベースＰに記録されている災害関連情報に総合評価情報の内容を追加する。
【０１６４】
図１３は、本発明の第３の実施の形態に係る情報配信装置により管理される災害関連情報のテーブルの一例を示す図である。
【０１６５】
図１３を参照して、テーブルは、図５に示すテーブルに比べて「評価」の欄が追加されている。「評価」の欄の数値は、総合評価情報が示す評価レベルである。
【０１６６】
端末装置３０１Ａから提供された災害情報ＩＤ１〜６の災害関連情報のうち、端末装置３０１Ｃへ配信されたことにより情報配信装置１０３が評価した災害関連情報については、「評価」の欄に評価レベルが登録されている。
【０１６７】
図１４は、本発明の第３の実施の形態に係る災害時情報共有システムにおけるインセンティブ情報の一例を示す図である。
【０１６８】
インセンティブ設定部１６は、評価部２０による評価の高さに応じた対価を設定し、設定した対価を示すインセンティブ情報を作成してインセンティブ情報送信部１５へ送る。インセンティブ情報送信部１５は、インセンティブ設定部１６から受けたインセンティブ情報を端末装置３０１へ送信する。
【０１６９】
具体的には、図１４を参照して、インセンティブ情報は、図６に示すインセンティブ情報に比べて、「対価」の欄において、評価レベルに応じて異なる対価が設定されている。
【０１７０】
なお、インセンティブ情報における対価は、評価レベルの高さだけでなく、情報の必要性の高さに応じて変更されてもよい。たとえば、インセンティブ情報は、収集する必要性が高い災害関連情報については、評価レベル５の情報提供の対価として１０００円を示し、一方、収集する必要性がそれ程高くない情報については、同じ評価レベル５の情報提供の対価として１００円を示してもよい。
【０１７１】
また、インセンティブ情報送信部１５は、対価が設定されたことを示す情報を端末装置３０１へ送信してもよい。たとえば、インセンティブ情報送信部１５は、サービスプロバイダにより開設された、インセンティブ情報の内容が掲載されたホームページのＵＲＬを端末装置３０１へ送信してもよい。
【０１７２】
あるいは、たとえば、インセンティブ情報送信部１５は、サービスプロバイダにより開設された、すでに災害関連情報を提供した端末装置３０１のユーザーが実際に受け取る対価が掲載されたホームページ、のＵＲＬを当該端末装置３０１のユーザーへ送信してもよい。
【０１７３】
［動作］
本発明の第１の実施の形態に係る災害時情報共有システムにおける情報配信装置は、以下の各フローチャートの各ステップの一部または全部を含むプログラムを図示しないメモリから読み出して実行する。このプログラムは、外部からインストールすることができる。このインストールされるプログラムは、たとえば記録媒体に格納された状態で流通する。
【０１７４】
図１５は、本発明の第３の実施の形態に係る情報配信装置が情報を配信する際の動作手順の一例を定めたフローチャートである。
【０１７５】
図１５を参照して、情報配信装置１０３は、災害が発生するまで待機する（ステップＳ５１でＮＯ）。
【０１７６】
次に、情報配信装置１０３は、災害が発生すると（ステップＳ５１でＹＥＳ）、この時点において配信可能な災害関連情報を端末装置３０１Ｃへ配信する（ステップＳ５２）。たとえば、情報配信装置１０３は、災害発生前に収集しておいた各地域における避難場所に関する災害関連情報を端末装置３０１Ｃへ配信する。情報配信装置１０３は、たとえばネットワーク２０１に接続された他の装置から災害の発生を示す災害発生情報を受信して災害の発生を認識する。
【０１７７】
次に、情報配信装置１０３は、端末装置３０１へ情報提供依頼を配信する（ステップＳ５３）。たとえば、情報配信装置１０３は、自己がすでに保持している災害関連情報に対する、情報配信装置１０３が端末装置３０１Ｃへ配信すべき情報の不足分の提供を依頼する。
【０１７８】
情報提供依頼の配信先の端末装置３０１は、たとえば、災害発生直後に被災地周辺に存在する複数の端末装置３０１である。情報提供依頼は、たとえば、被災地周辺にある基地局等から各端末装置３０１へブロードキャストされる。
【０１７９】
端末装置３０１Ａのユーザーは、端末装置３０１Ａが受信した情報提供依頼の内容を確認し、災害関連情報を知得済である場合には、当該災害関連情報を端末装置３０１Ａから情報配信装置１０３へ送信する。なお、当該ユーザーは、たとえばＥＴＷＳ（Earthquake Ａnd Tsunami Warning System）による情報配信を受けて、災害関連情報を送信してもよい。
【０１８０】
次に、情報配信装置１０３は、端末装置３０１Ａから提供される災害関連情報を収集する（ステップＳ５４）。
【０１８１】
次に、情報配信装置１０３は、収集した情報が十分であるか否かを判断する（ステップＳ５５）。つまり、情報配信装置１０３は、配信可能な災害関連情報が、配信すべき災害関連情報に対して十分であるか否かを判断する。たとえば、情報配信装置１０３は、端末装置３０１Ｃへ配信すべき情報をすべて取得していて、他に必要な情報が無い場合には、収集した情報が十分であると判断する。
【０１８２】
次に、情報配信装置１０３は、収集した情報が十分であると判断した場合（ステップＳ５５でＹＥＳ）、配信すべき災害関連情報を端末装置３０１Ｃへ配信する（ステップＳ５６）。
【０１８３】
一方、情報配信装置１０３は、収集した情報が十分でないと判断した場合（ステップＳ５５でＮＯ）、インセンティブ情報を作成し（ステップＳ５７）、作成したインセンティブ情報を端末装置３０１へ配信する（ステップＳ５８）。
【０１８４】
次に、情報配信装置１０３は、インセンティブ情報を受信した端末装置３０１Ａから新たに送信される災害関連情報を収集する（ステップＳ５９）。
【０１８５】
次に、情報配信装置１０３は、収集した災害関連情報を端末装置３０１Ｃへ配信する（ステップＳ６０）。
【０１８６】
次に、情報配信装置１０３は、災害関連情報を配信された端末装置３０１Ｃから評価情報を受信する（ステップＳ６１）。
【０１８７】
次に、情報配信装置１０３は、受信した評価情報に基づいて災害関連情報の提供を評価する（ステップＳ６２）。情報配信装置１０３は、評価した結果を記憶装置１５１におけるデータベースＰに登録する。
【０１８８】
次に、情報配信装置１０３は、収集した情報が十分であるか否かを判断し（ステップＳ５５）、収集した情報が十分でないと判断した場合には（ステップＳ５５でＮＯ）、インセンティブ情報を更新して（ステップＳ５７）、更新したインセンティブ情報を端末装置３０１へ配信する（ステップＳ５８）。
【０１８９】
なお、情報配信装置１０３は、災害関連情報が十分でなかった場合であっても（ステップＳ５５でＮＯ）、端末装置３０１Ｃへ配信すべき災害関連情報の一部をすでに取得している場合には、当該一部の災害関連情報を端末装置３０１Ｃへ配信してもよい。このような方法により、情報配信装置１０３は、緊急性を要する場合がある災害関連情報をできるだけ迅速に端末装置３０１Ｃへ配信することができる。
【０１９０】
また、情報配信装置１０３は、災害の発生を認識した（ステップＳ５１でＹＥＳ）直後に、配信可能な災害関連情報の配信（ステップＳ５２）および情報提供依頼の配信（ステップＳ５３）を行わない構成であってもよい。
【０１９１】
以上のように、本発明の第３の実施形態に係る情報配信装置では、評価部２０は、災害関連情報を受信した１以上の端末装置３０１からなる端末装置群、の一部または全部から当該災害関連情報の評価内容を示す評価情報を受信し、受信した評価情報に基づいて、上記端末装置群の一部または全部からの対象情報の提供を評価する。情報収集部１７は、評価部２０による評価の高さに応じた対価を設定する。
【０１９２】
このような構成により、端末装置３０１Ｃからの評価情報を用いて、端末装置３０１Ａのユーザーからの災害関連情報の提供を適切に評価し、対価を設定することができる。
【０１９３】
また、本発明の第３の実施の形態に係る情報配信装置では、情報収集部１７は、対価が設定されたことを示す情報を上記端末装置群の一部または全部へ送信する。
【０１９４】
このような構成により、情報収集部１７から端末装置３０１へ送信される情報が、災害関連情報の提供を促すための対価、が設定されたことを示す場合には、端末装置３０１のユーザーは、たとえば、情報配信装置１０３を運用するサービスプロバイダのホームページにおいて評価の高さに応じた対価を確認したうえで、災害関連情報を提供することができる。これにより、端末装置３０１のユーザーに、高評価を獲得しうる有用な災害関連情報を提供することのインセンティブを与えることができる。
【０１９５】
また、情報収集部１７から端末装置３０１へ送信される情報が、すでに災害関連情報を提供した端末装置３０１のユーザーに供与される対価、が設定されたことを示す場合には、災害関連情報を提供した端末装置３０１のユーザーは、たとえば、サービスプロバイダのホームページにおいて、実際に受け取る対価を確認することができる。これにより、端末装置３０１のユーザーに与えるインセンティブを高めることができる。
【０１９６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１９７】
１１  情報管理部
１２  情報受信部
１３  情報送信部
１４  要求受信部
１５  インセンティブ情報送信部
１６  インセンティブ設定部
１７  情報収集部
１８  評価判断部
１９  評価受信部
２０  評価部
１５１  記憶装置
２０１  ネットワーク
１０１，１０２，１０３  情報配信装置
５０１，５０２，５０３  災害時情報共有システム
３０１，３０１Ａ，３０１Ｂ，３０１Ｃ  端末装置
【図１】
2015022635.tif 000003
【図２】
2015022635.tif 000004
【図３】
2015022635.tif 000005
【図４】
2015022635.tif 000006
【図５】
2015022635.tif 000007
【図６】
2015022635.tif 000008
【図７】
2015022635.tif 000009
【図８】
2015022635.tif 000010
【図９】
2015022635.tif 000011
【図１０】
2015022635.tif 000012
【図１１】
2015022635.tif 000013
【図１２】
2015022635.tif 000014
【図１３】
2015022635.tif 000015
【図１４】
2015022635.tif 000016
【図１５】
2015022635.tif 000017